(57)【特許請求の範囲】
【請求項１】
増幅器手段と、該増幅器手段と共に所定の周波数での発振に寄与するために、前記増幅器手段の出力側から入力側に正帰還をかける帰還回路及び前記増幅器手段の入力部または出力部に接続された前記所定の周波数で共振する共振器との少なくとも一方とを有し、発振状態及び発振停止状態において前記増幅器手段の出力側から前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、高周波アースライン、前記発振部における前記増幅器手段への電源供給ライン及び前記発振部を発振可能範囲外にするための素子を有し、
前記スイッチ手段は、
前記発振部における前記増幅器手段の入力部または出力部の少なくとも一方と前記高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を前記レーダ波の送信タイミングを示すパルス信号に基づいて前記発振部に対して接離することにより、前記発振部の動作状態を、前記発振状態と前記発振停止状態との間で交互に切り替える第２のスイッチと、
前記発振部における前記増幅器手段への電源供給ラインを前記レーダ波の送信タイミングを示すパルス信号に基づいて開閉することにより、前記発振部の動作状態を、前記発振状態と前記発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器。
【請求項２】
増幅器手段と、該増幅器手段と共に所定の周波数での発振に寄与するために、前記増幅器手段の出力側から入力側に正帰還をかける帰還回路及び前記増幅器手段の入力部または出力部に接続された前記所定の周波数で共振する共振器との両方を有し、発振状態及び発振停止状態において前記増幅器手段の出力側から前記共振器によって決まる前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、高周波アースライン、前記発振部における前記増幅器手段への電源供給ライン及び前記発振部を発振可能範囲外にするための素子を有し、
前記スイッチ手段は、
前記発振部における前記増幅器手段の入力部または出力部の少なくとも一方と前記高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を前記レーダ波の送信タイミングを示すパルス信号に基づいて前記発振部に対して接離することにより、前記発振部の動作状態を、前記発振状態と前記発振停止状態との間で交互に切り替える第２のスイッチと、
前記発振部における前記増幅器手段への電源供給ラインを前記レーダ波の送信タイミングを示すパルス信号に基づいて開閉することにより、前記発振部の動作状態を、前記発振状態と前記発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器。
【請求項３】
従続接続された複数の増幅器を有する増幅器手段と、該増幅器手段と共に所定の周波数での発振に寄与するために、前記複数の増幅器の最終段の増幅器の出力側から最前段の増幅器の入力側に正帰還をかける帰還回路と、少なくとも前記複数の増幅器の従続接続部に接続された前記所定の周波数で共振する共振器との両方を有し、発振状態及び発振停止状態において前記増幅器手段の出力側から前記共振器によって決まる前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、高周波アースライン、前記発振部における前記増幅器手段としての前記複数の増幅器への電源供給ライン及び前記発振部を発振可能範囲外にするための素子を有し、
前記スイッチ手段は、
前記発振部における前記増幅器手段の入力部または出力部の少なくとも一方と前記高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を前記レーダ波の送信タイミングを示すパルス信号に基づいて前記発振部に対して接離することにより、前記発振部の動作状態を、前記発振状態と前記発振停止状態との間で交互に切り替える第２のスイッチと、
前記発振部における前記増幅器手段としての前記複数の増幅器における少なくとも一つの増幅器への電源供給ラインを前記レーダ波の送信タイミングを示すパルス信号に基づいて開閉することにより、前記発振部の動作状態を、前記発振状態と前記発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器。
【請求項４】
増幅器手段と、該増幅器手段と共に所定の周波数での発振に寄与するために、前記増幅器手段の出力側から入力側に正帰還をかける帰還回路及び前記増幅器手段の入力部または出力部に接続された前記所定の周波数で共振する共振器との少なくとも一方とを有し、発振状態及び発振停止状態において前記増幅器手段の出力側から前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、前記増幅器手段として電界効果トランジスタ（ＦＥＴ）と該ＦＥＴに接続され前記ＦＥＴが所定の周波数での発振に寄与する負性抵抗を発生するような長さの分布定数線路とを有すると共に、前記ＦＥＴの入力部に接続された長さが前記所望の周波数のλ／４になるような分布定数線路とで構成された前記所定の周波数で共振する共振器のみを有し、前記発振状態及び前記発振停止状態において前記ＦＥＴの出力側から前記共振器によって決まる前記所定の周波数を有する発振信号を出力及び停止するように構成されるとともに、
前記発振部は、高周波アースライン、前記発振部における前記増幅器手段としての前記ＦＥＴへの電源供給ライン及び前記発振部を発振可能範囲外にするための素子を有し、
前記スイッチ手段は、
前記発振部における前記増幅器手段としての前記ＦＥＴの入力部または出力部の少なくとも一方と前記高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を前記レーダ波の送信タイミングを示すパルス信号に基づいて前記発振部に対して接離することにより、前記発振部の動作状態を、前記発振状態と前記発振停止状態との間で交互に切り替える第２のスイッチと、
前記発振部における前記増幅器手段としての前記ＦＥＴへの電源供給ラインを前記レーダ波の送信タイミングを示すパルス信号に基づいて開閉することにより、前記発振部の動作状態を、前記発振状態と前記発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器。
【請求項５】
増幅器手段と、該増幅器手段と共に所定の周波数での発振に寄与するために、前記増幅器手段の出力側から入力側に正帰還をかける帰還回路及び前記増幅器手段の入力部または出力部に接続された前記所定の周波数で共振する共振器との少なくとも一方とを有し、発振状態及び発振停止状態において前記増幅器手段の出力側から前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、前記増幅器手段として従続接続された複数の増幅器を有すると共に、前記複数の増幅器の最終段の増幅器の出力部から最前段の増幅器の入力部に帰還をかける帰還回路のみを有するリング発振回路として構成され、前記発振状態及び前記発振停止状態において前記最終段の増幅器の出力部から前記リング発振回路によって決まる前記所定の周波数を有する発振信号を出力及び停止するように構成されるとともに、
前記発振部は、高周波アースライン、前記発振部における前記増幅器手段としての前記複数の増幅器への電源供給ライン及び前記発振部を発振可能範囲外にするための素子を有し、
前記スイッチ手段は、
前記発振部における前記増幅器手段としての前記複数の増幅器の最前段の増幅器の入力部または前記複数の増幅器の最終段の増幅器の出力部の少なくとも一方と前記発振部の高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を、前記レーダ波の送信タイミングを示すパルス信号に基づいて前記発振部に対して接離することにより、前記発振部の動作状態を、発振状態と発振停止状態との間で交互に切り替える第２のスイッチと、
前記発振部における前記複数の増幅器における少なくとも一つの増幅器への電源供給ラインを前記レーダ波の送信タイミングを示すパルス信号に基づいて開閉することにより、前記発振部の動作状態を、発振状態と発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器。
【発明の詳細な説明】
【技術分野】
【０００１】  本発明はレーダ用発振器に係り、特に、レーダの送信部、例えば、車載用、盲人用、医療用等の近距離用のレーダ装置としてＵＷＢ（Ｕｌｔｒａ  ｗｉｄｅ  ｂａｎｄ）レーダ等の小出力の送信部に用いるレーダ用発振器において、発振出力のリークを防止可能とするための技術を採用したレーダ用発振器に関する。
【背景技術】
【０００２】  例えば、車載用、盲人用、医療用等の近距離用のレーダ装置として、ＵＷＢレーダのような低電力の発振信号を送信する送信部に用いられるレーダ用発振器においては、外部からのレーダ波の送信タイミングを示すパルス信号によって、準ミリ波（２２〜２９ＧＨｚ）の発振信号の出力を断続させている。【０００３】  図１１は、この種の従来のレーダ用発振器１０の回路構成を示すブロック図である。【０００４】  すなわち、このレーダ用発振器１０において、発振部１１は、増幅器１２と、該増幅器１２の出力部に接続された共振器１３と、該増幅器１２の出力を入力側に正帰還させて共振器１３で決まる周波数の信号を発振させる帰還回路１４とを有している。【０００５】  この発振部１１から出力される発振信号は、レーダ波の送信タイミングを示すパルス信号Ｐによって開閉されるスイッチ１５（半導体等の電子スイッチ）に入力される。【０００６】  そして、パルス信号Ｐが第１のレベル（例えば、ローレベル）のときスイッチ１５が閉じて発振信号Ｓが出力され、第２のレベル（例えば、ハイレベル）のときスイッチ１５が開いて発振信号Ｓは出力されない。【０００７】  しかしながら、上記のように発振信号の出力経路をスイッチ１５で開閉する従来のレーダ用発振器１０では、パルス信号Ｐが第２のレベル（例えば、ハイレベル）にあるスイッチ１５の開期間において、レーダ用発振器１０の発振部１１自体はスイッチ１５の開閉に関係なく常時、動作状態（発振状態）にあるので、スイッチ１５が開いていたとしても、スイッチ１５の等価的な高周波浮遊キャパシタンス成分や高周波寄生キャパシタンス成分等を通して発振部１１からの発振信号がリークすることにより、発振信号出力を完全に停止させることができないという問題がある。【０００８】  特に、前記したように２２〜２９ＧＨｚの高い周波数帯でスイッチ１５からのリークを防止することは困難である。【０００９】  図１２Ａ，Ｂは、上記従来構成のレーダ用発振器の動作を示すタイミング図である。【００１０】  すなわち、図１２Ａに示すパルス信号Ｐのローレベル期間に、図１２Ｂに示すような発振信号Ｓが出力されるが、パルス信号のハイレベル期間にも発振信号のリーク成分Ｓ′が出力されており、ローレベル期間とハイレベル期間の出力比は、２０ｄＢ程度しか得られていない。【００１１】  このリーク成分Ｓ′は、正規の送信タイミングで出力されたレーダ波に対する反射波の実質的な受信感度を制限することになり、レーダ探査範囲を狭め、低反射率の障害物の検出を困難にする。【００１２】  また、前記ＵＷＢレーダシステムに関して、ＦＣＣ（米国連邦通信委員会）は、次の非特許文献１において、２２〜２９ＧＨｚの帯域内における平均電力密度が−４１ｄＢｍ／ＭＨｚ以下、ピーク電力密度が０ｄＢｍ／５０ＭＨｚ以下となるよう規定している。【００１３】［非特許文献１］ＦＣＣ０２−４８，Ｎｅｗ  Ｐａｒｔ  １５  Ｒｕｌｅｓ，“ＦＩＲＳＴ  ＲＥＰＯＲＴ  ＡＮＤ  ＯＲＤＥＲ”
つまり、上記のＵＷＢレーダシステムでは、２２〜２９ＧＨｚの帯域内におけるエネルギーの総量が規制されているので、リーク成分Ｓ′が大きいと、その分だけ正規の発振信号の出力レベルを低く設定しなければならず、探査距離等が大きく制限されてしまう。
【発明の開示】
【００１４】  本発明の目的は、以上のような従来技術の問題を解決して、レーダ波の送信タイミングを示すパルス信号に応じてリークを発生させることなく、発振信号を断続的に出力することが可能なレーダ用発振器を提供することである。
【００１５】  上記目的を達成するために、本発明の着目点は、レーダ波の送信タイミングを示すパルス信号に応じてリークを発生させることなく発振信号の断続出力を可能とするために、従来のレーダ用発振器のように発振信号の出力経路をスイッチで開閉する構成とするのでなく、レーダ用発振器の発振部自体の動作をスイッチで動作状態及び非動作状態（発振状態及び発振停止状態）の間で交互に切替える構成を採用することにある。
【００１６】  すなわち、本発明で採用するレーダ用発振器の構成によれば、レーダ波の送信タイミングを示すパルス信号が第１のレベル（例えば、ローレベル）にあるスイッチの閉期間においてレーダ用発振器の発振部が発振状態となり、同パルス信号が第２のレベル（例えば、ハイレベル）にあるスイッチの開期間においてレーダ用発振器の発振部自体が発振停止状態となるので、レーダ波の送信タイミングを示すパルス信号に応じて根本的にリークを発生させることなく発振信号を断続的に出力することが可能となる。
【００１７】
具体的には、上記目的を達成するために、本発明の第１の態様によると、
増幅器手段と、該増幅器手段と共に所定の周波数での発振に寄与するために、前記増幅器手段の出力側から入力側に正帰還をかける帰還回路及び前記増幅器手段の入力部または出力部に接続された前記所定の周波数で共振する共振器との少なくとも一方とを有し、発振状態及び発振停止状態において前記増幅器手段の出力側から前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、高周波アースライン、前記発振部における前記増幅器手段への電源供給ライン及び前記発振部を発振可能範囲外にするための素子を有し、
前記スイッチ手段は、
前記発振部における前記増幅器手段の入力部または出力部の少なくとも一方と前記高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を前記レーダ波の送信タイミングを示すパルス信号に基づいて前記発振部に対して接離することにより、前記発振部の動作状態を、前記発振状態と前記発振停止状態との間で交互に切り替える第２のスイッチと、
前記発振部における前記増幅器手段への電源供給ラインを前記レーダ波の送信タイミングを示すパルス信号に基づいて開閉することにより、前記発振部の動作状態を、前記発振状態と前記発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器が提供される。
【００１８】
また、上記目的を達成するために、本発明の第２の態様によると、
増幅器手段と、該増幅器手段と共に所定の周波数での発振に寄与するために、前記増幅器手段の出力側から入力側に正帰還をかける帰還回路及び前記増幅器手段の入力部または出力部に接続された前記所定の周波数で共振する共振器との両方を有し、発振状態及び発振停止状態において前記増幅器手段の出力側から前記共振器によって決まる前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、高周波アースライン、前記発振部における前記増幅器手段への電源供給ライン及び前記発振部を発振可能範囲外にするための素子を有し、
前記スイッチ手段は、
前記発振部における前記増幅器手段の入力部または出力部の少なくとも一方と前記高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を前記レーダ波の送信タイミングを示すパルス信号に基づいて前記発振部に対して接離することにより、前記発振部の動作状態を、前記発振状態と前記発振停止状態との間で交互に切り替える第２のスイッチと、
前記発振部における前記増幅器手段への電源供給ラインを前記レーダ波の送信タイミングを示すパルス信号に基づいて開閉することにより、前記発振部の動作状態を、前記発振状態と前記発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器が提供される。
【００１９】
また、上記目的を達成するために、本発明の第３の態様によると、
従続接続された複数の増幅器を有する増幅器手段と、該増幅器手段と共に所定の周波数での発振に寄与するために、前記複数の増幅器の最終段の増幅器の出力側から最前段の増幅器の入力側に正帰還をかける帰還回路と、少なくとも前記複数の増幅器の従続接続部に接続された前記所定の周波数で共振する共振器との両方を有し、発振状態及び発振停止状態において前記増幅器手段の出力側から前記共振器によって決まる前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、高周波アースライン、前記発振部における前記増幅器手段としての前記複数の増幅器への電源供給ライン及び前記発振部を発振可能範囲外にするための素子を有し、
前記スイッチ手段は、
前記発振部における前記増幅器手段の入力部または出力部の少なくとも一方と前記高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を前記レーダ波の送信タイミングを示すパルス信号に基づいて前記発振部に対して接離することにより、前記発振部の動作状態を、
前記発振状態と前記発振停止状態との間で交互に切り替える第２のスイッチと、
前記発振部における前記増幅器手段としての前記複数の増幅器における少なくとも一つの増幅器への電源供給ラインを前記レーダ波の送信タイミングを示すパルス信号に基づいて開閉することにより、前記発振部の動作状態を、前記発振状態と前記発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器が提供される。
【００２０】
また、上記目的を達成するために、本発明の第４の態様によると、
増幅器手段と、該増幅器手段と共に所定の周波数での発振に寄与するために、前記増幅器手段の出力側から入力側に正帰還をかける帰還回路及び前記増幅器手段の入力部または出力部に接続された前記所定の周波数で共振する共振器との少なくとも一方とを有し、発振状態及び発振停止状態において前記増幅器手段の出力側から前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、前記増幅器手段として電界効果トランジスタ（ＦＥＴ）と該ＦＥＴに接続され前記ＦＥＴが所定の周波数での発振に寄与する負性抵抗を発生するような長さの分布定数線路とを有すると共に、前記ＦＥＴの入力部に接続された長さが前記所望の周波数のλ／４になるような分布定数線路とで構成された前記所定の周波数で共振する共振器のみを有し、前記発振状態及び前記発振停止状態において前記ＦＥＴの出力側から前記共振器によって決まる前記所定の周波数を有する発振信号を出力及び停止するように構成されるとともに、
前記発振部は、高周波アースライン、前記発振部における前記増幅器手段としての前記ＦＥＴへの電源供給ライン及び前記発振部を発振可能範囲外にするための素子を有し、
前記スイッチ手段は、
前記発振部における前記増幅器手段としての前記ＦＥＴの入力部または出力部の少なくとも一方と前記高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を前記レーダ波の送信タイミングを示すパルス信号に基づいて前記発振部に対して接離することにより、前記発振部の動作状態を、前記発振状態と前記発振停止状態との間で交互に切り替える第２のスイッチと、
前記発振部における前記増幅器手段としての前記ＦＥＴへの電源供給ラインを前記レーダ波の送信タイミングを示すパルス信号に基づいて開閉することにより、前記発振部の動作状態を、前記発振状態と前記発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器が提供される。
【００２１】
また、上記目的を達成するために、本発明の第５の態様によると、
増幅器手段と、該増幅器手段と共に所定の周波数での発振に寄与するために、前記増幅器手段の出力側から入力側に正帰還をかける帰還回路及び前記増幅器手段の入力部または出力部に接続された前記所定の周波数で共振する共振器との少なくとも一方とを有し、発振状態及び発振停止状態において前記増幅器手段の出力側から前記所定の周波数を有する発振信号を出力及び停止する発振部と、
前記発振部に接続され、レーダ波の送信タイミングを示すパルス信号を受けて、該パルス信号のレベルに応じて前記発振信号の出力を断続させるために、前記発振部の動作状態を、前記パルス信号の第１及び第２のレベルで前記発振状態及び前記発振停止状態との間で交互に切り替える電子スイッチからなるスイッチ手段と、
前記発振部に接続され、前記スイッチ手段により前記レーダ波の送信タイミングを示すパルス信号のレベルに応じて断続される前記発振信号の出力に基づいて、前記レーダ波を送信するために前記発振信号の出力を外部に導出する出力手段とを具備し、
前記発振部は、前記増幅器手段として従続接続された複数の増幅器を有すると共に、前記複数の増幅器の最終段の増幅器の出力部から最前段の増幅器の入力部に帰還をかける帰還回路のみを有するリング発振回路として構成され、前記発振状態及び前記発振停止状態において前記最終段の増幅器の出力部から前記リング発振回路によって決まる前記所定の周波数を有する発振信号を出力及び停止するように構成されるとともに、
前記発振部は、高周波アースライン、前記発振部における前記増幅器手段としての前記複数の増幅器への電源供給ライン及び前記発振部を発振可能範囲外にするための素子を有し、
前記スイッチ手段は、
前記発振部における前記増幅器手段としての前記複数の増幅器の最前段の増幅器の入力部または前記複数の増幅器の最終段の増幅器の出力部の少なくとも一方と前記発振部の高周波アースラインとの間を前記レーダ波の送信タイミングを示すパルス信号に基づいて開閉することにより、前記発振部の動作状態を、前記発振状態と前記発振停止状態との間で交互に切り替える第１のスイッチと、
前記発振部を発振可能範囲外にするための素子を、前記レーダ波の送信タイミングを示すパルス信号に基づいて前記発振部に対して接離することにより、前記発振部の動作状態を、発振状態と発振停止状態との間で交互に切り替える第２のスイッチと、
前記発振部における前記複数の増幅器における少なくとも一つの増幅器への電源供給ラインを前記レーダ波の送信タイミングを示すパルス信号に基づいて開閉することにより、前記発振部の動作状態を、発振状態と発振停止状態との間で交互に切り替える第３のスイッチとを備え、
前記レーダ波の送信タイミングを示すパルス信号の第１のレベルにおいて前記発振部が前記発振状態になるとともに、前記パルス信号の第２のレベルにおいて前記発振部が前記発振停止状態になることにより、前記レーダ波の送信タイミングを示すパルス信号の第２のレベルにおいてリークを発生することなく前記発振信号を断続的に前記出力手段から出力することが可能となるように構成されていることを特徴とするレーダ用発振器が提供される。
【００４２】  以上のように本発明のレーダ用発振器では、発振部の動作状態そのものをスイッチによってパルス信号のレベルに応じて発振状態と発振停止状態との間で交互に切り替えているので、発振状態では発振信号を出力するが、発振停止状態ではリークを発生させることなく、パルス信号のレベルに応じた発振信号の断続的な出力が可能となる。
【００４３】  また、本発明のレーダ用発振器では、増幅器の入力部または出力部の少なくとも一方と高周波のアースラインとの間をスイッチにより開閉することにより、スイッチが開いているとき増幅器に対して正帰還がかかって発振状態となり、スイッチが閉じているとき増幅器に対して正帰還がかからず、発振動作が停止する発振停止状態となる。
【００４４】  この場合、増幅器としては定常的に動作状態にあるので、スイッチの切り替わりに対して高速応答性を確保しながら、発振状態では発振信号を出力するが、発振停止状態ではリークを発生させることなく、パルス信号のレベルに応じた発振信号の断続的な出力が可能となる。
【００４５】  また、本発明のレーダ用発振器では、共振器の共振周波数を発振可能範囲外にするための素子をスイッチによって接離することにより、スイッチによって素子が共振器から切り離されたとき共振器の共振周波数が所望の発振動作範囲内となり、その周波数の信号が正帰還されて発振状態となり、スイッチによって素子が共振器に接続されたとき共振器の共振周波数が発振動作範囲外となって正帰還がかからず発振動作が停止する発振停止状態となる。
【００４６】  この場合も、増幅器としては定常的に動作状態にあるので、スイッチの切り替わりに対して高速な応答性をもちながら、発振状態では発振信号を出力するが、発振停止状態ではリークを発生させることなく、パルス信号のレベルに応じた発振信号の断続的な出力が可能となる。
【００４７】  また、本発明のレーダ用発振器では、増幅器の電源供給ラインをスイッチによって開閉することにより、スイッチが閉じて増幅器に対して電源供給がなされると発振状態となり、スイッチが開いて増幅器に対する電源供給が停止されると発振動作が停止する発振停止状態となる。
【００４８】  この場合、発振状態では発振信号を出力するが、発振停止状態では電源供給の停止により増幅器自体の動作が停止しているので、リークを発生させることなく、パルス信号のレベルに応じた発振信号の断続的な出力が可能となる。
【００４９】  なお、本発明において、スイッチにより供給を停止する電源は増幅器の主電源（Ｂ電源）だけでなく、バイアス電源（Ｃ電源）も含むものとする。
【００５０】  また、本発明のレーダ用発振器では、上記の各スイッチを選択的に組合せることにより、前記同様に発振状態では発振信号を出力するが、発振停止状態ではより確実にリーク発生を防止して、パルス信号のレベルに応じた発振信号を断続的に出力することが可能となる。
【図面の簡単な説明】
【００５１】［図１］図１は、本発明によるレーダ用発振器の第１の実施形態の概略的な構成を示すブロック図である。
［図２］図２は、図１に示した第１の実施形態によるレーダ用発振器の具体的な回路構成を例示する図である。
［図３Ａ］図３Ａは、図１に示した第１の実施形態によるレーダ用発振器の動作を説明するために示すパルス信号のタイミング図である。
［図３Ｂ］図３Ｂは、図１に示した第１の実施形態によるレーダ用発振器の動作を説明するために示す発振信号の出力タイミング図である。
［図４］図４は、本発明によるレーダ用発振器の第２の実施形態の概略的な構成を示すブロック図である。
［図５］図５は、図４に示した第２の実施形態によるレーダ用発振器の具体的な回路構成を示す図である。
［図６］図６は、本発明によるレーダ用発振器の第３の実施形態の具体的な回路構成を例示する図である。
［図７］図７は、本発明によるレーダ用発振器の第４の実施形態の概略的な構成を示すブロック図である。
［図８］図８は、図７に示した第４の実施形態によるレーダ用発振器の具体的な回路構成を示す図である。
［図９］図９は、本発明によるレーダ用発振器の第５の実施形態の概略的な構成を示すブロック図である。
［図１０］図１０は、図９に示した本発明の第５の実施形態によるレーダ用発振器の変形例の概略的な構成を示すブロック図である。
［図１１］図１１は、従来のレーダ用発振器の概略的な構成を示すブロック図である。
［図１２Ａ］図１２Ａは、図１１に示した従来のレーダ用発振器の動作を説明するために示すパルス信号のタイミング図である。
［図１２Ｂ］図１２Ｂは、図１１に示した従来のレーダ用発振器の動作を説明するために示す発振信号の出力タイミング図である。
［図１３］図１３は、図１に示した本発明の第１の実施形態によるレーダ用発振器の変形例の概略的な構成を示すブロック図である。
［図１４］図１４は、図１に示した本発明の第１の実施形態によるレーダ用発振器の変形例の概略的な構成を示すブロック図である。
［図１５］図１５は、図１に示した本発明の第１の実施形態によるレーダ用発振器の変形例の概略的な構成を示すブロック図である。
［図１６］図１６は、図６に示した本発明の第３の実施形態によるレーダ用発振器の変形例の概略的な構成を示すブロック図である。
［図１７］図１７は、図６に示した発明の第３の実施形態によるレーダ用発振器の変形例の概略的な構成を示すブロック図である。
［図１８］図１８は、図４に示した本発明の第２の実施形態によるレーダ用発振器の変形例の概略的な構成を示すブロック図である。
［図１９］図１９は、図９に示した本発明の第５の実施形態によるレーダ用発振器の変形例の概略的な構成を示すブロック図である。
［図２０］図２０は、図９に示した本発明の第５の実施形態によるレーダ用発振器の変形例の概略的な構成を示すブロック図である。
［図２１］図２１は、図９に示した本発明の第５の実施形態によるレーダ用発振器の変形例の概略的な構成を示すブロック図である。
［図２２］図２２は、図９に示した本発明の第５の実施形態によるレーダ用発振器の変形例の概略的な構成を示すブロック図である。
［図２３］図２３は、図９に示した本発明の第５の実施形態によるレーダ用発振器の変形例の概略的な構成を示すブロック図である。
［図２４］図２４は、図９に示した本発明の第５の実施形態によるレーダ用発振器の変形例の概略的な構成を示すブロック図である。
［図２５］図２５は、図９に示した本発明の第５の実施形態によるレーダ用発振器の変形例の概略的な構成を示すブロック図である。
［図２６］図２６は、図９に示した本発明の第５の実施形態によるレーダ用発振器の変形例の概略的な構成を示すブロック図である。
［図２７］図２７は、図９に示した本発明の第５の実施形態によるレーダ用発振器の変形例の概略的な構成を示すブロック図である。
［図２８］図２８は、図１に示した本発明の第１の実施形態によるレーダ用発振器の変形例の具体的な回路構成を示す図である。
［図２９］図２９は、図１に示した本発明の第１の実施形態によるレーダ用発振器の変形例の具体的な回路構成を示す図である。
［図３０］図３０は、図７に示した本発明の第４の実施形態によるレーダ用発振器の変形例の具体的な回路構成を示す図である。
［図３１］図３１は、図６に示した本発明の第３の実施形態によるレーダ用発振器の変形例の具体的な回路構成を示す図である。
［図３２］図３２は、図４に示した本発明の第２の実施形態によるレーダ用発振器の変形例の具体的な回路構成を示す図である。
［図３３］図３３は、図９に示した本発明の第５の実施形態によるレーダ用発振器の変形例の概略的な構成を示すブロック図である。
［図３４］図３４は、図９に示した本発明の第５の実施形態によるレーダ用発振器の変形例の概略的な構成を示すブロック図である。
［図３５］図３５は、本発明によるレーダ用発振器の第６の実施形態の概略的な構成を示すブロック図である。
［図３６］図３６は、図３５に示した本発明の第６の実施形態によるレーダ用発振器の具体的な回路構成を示す図である。
［図３７］図３７は、図３５に示した本発明の第６の実施形態によるレーダ用発振器の変形例の概略的な構成を示すブロック図である。
［図３８］図３８は、図３６に示した本発明の第６の実施形態によるレーダ用発振器の変形例の具体的な回路構成を示す図である。
【発明を実施するための最良の形態】
【００５２】  まず、本発明によるレーダ用発振器の基本的な構成は、後述する図１、図２８、図２９、図３５に示すように、増幅器（手段）２２と、該増幅器（手段）２２と共に所定の周波数での発振に寄与するために、前記増幅器（手段）２２の出力側から入力側に正帰還をかける帰還回路２４及び前記増幅器（手段）２２の入力部または出力部に接続された前記所定の周波数で共振する共振器２３との少なくとも一方とを有し、発振状態及び発振停止状態において前記増幅器（手段）２２の出力側から前記所定の周波数を有する発振信号を出力及び停止する発振部２１と、前記発振部２１に接続され、レーダ波の送信タイミングを示すパルス信号を受けて、該パルス信号のレベルに応じて前記発振信号の出力を断続させるために、前記発振部２１の動作状態を、前記パルス信号の第１及び第２のレベルで前記発振状態及び前記発振停止状態との間で交互に切り替える電子スイッチからなるスイッチ（手段）３０とを具備する。【００５３】  以下、本発明によるレーダ用発振器の幾つかの実施形態を図面を参照して説明する。【００５４】  （第１実施形態）
図１は、本発明の第１実施形態に係るレーダ用発振器２０の概略的な構成を示すブロック図である。【００５５】  このレーダ用発振器２０は、発振部２１と、該発振部２１に接続されたスイッチ３０によって構成されている。【００５６】  発振部２１は、増幅器２２と、該増幅器２２の出力部（後述する図１３に示すように、増幅器２２の入力部でもよい）に接続され、該増幅器２２と共に所定の周波数での発振に寄与するもので、発振部２１としての発振周波数を決定する共振周波数を有する共振器２３と、増幅器２２の出力を入力側に正帰還して、共振器２３で決まる所定の周波数を有する発振信号Ｓを出力させる帰還回路２４とにより構成されている。【００５７】  ここで、増幅器２２は反転型、同相型のいずれでもよく、それに応じて帰還回路２４を構成すればよい。【００５８】  例えば、増幅器２２が反転型の場合、帰還回路２４を反転型にすることにより、増幅器２２に対して正帰還をかけることができる。【００５９】  また、増幅器２２が同相型の場合には、帰還回路２４を同相型（単純にはコンデンサ等でよい）にすることにより、増幅器２２に対して正帰還をかけることができる。【００６０】  一方、スイッチ３０は、後述するように、バイポーラトランジスタ、電界効果トランジスタ、ダイオード等の電子スイッチからなり、その制御信号入力端に，レーダ波の送信タイミングを示すパルス信号Ｐを受け、該パルス信号Ｐの第１及び第２のレベルに応じて発振部２１の動作状態を、発振状態及び発振停止状態との間で交互に切り替える。【００６１】  この実施形態では、スイッチ３０は、増幅器２２の入力部（後述する図１３に示すように、増幅器２２の出力部でもよい）とアースライン（高周波的なアースラインであり、正負電源ラインのいずれでもよい）との間を開閉できるように接続されている。【００６２】  スイッチ３０は、パルス信号Ｐが第１のレベル（例えば、ローレベル）のとき開いて発振部２１を発振状態にして発振信号Ｓを出力させ、パルス信号Ｐが第２のレベル（例えば、ハイレベル）のとき閉じて、増幅器２２の入力部をアースラインに接続する。【００６３】  この増幅器２２の入力部のアースラインへの接続により、増幅器２２の出力側から入力側への正帰還がかからなくなり、発振部２１は発振停止状態となる。【００６４】  なお、実際には、スイッチ３０自体のオン抵抗により僅かな正帰還がかかるが、発振部２１での発振を継続させるのに必要な帰還量には至らない。【００６５】  このような発振部２１は、増幅器（手段）２２と、該増幅器（手段）２２と共に所定の周波数での発振に寄与するために、所定の周波数で共振する共振器２３及び増幅器（手段）２２の出力側から入力側に正帰還をかける帰還回路（２４）の両方を有して構成れていると見なすことができる。【００６６】  そして、発振部２１に接続されるスイッチ（手段）３０がレーダ波の送信タイミングを示すパルス信号Ｐを受けて、該パルス信号Ｐのレベルに応じて前記発振信号の出力を断続させるために、前記発振部２１の動作状態を、前記パルス信号Ｐの第１及び第２のレベルで発振状態及び発振停止状態との間で交互に切り替えることにより、図１のレーダ用発振器２０は、根本的にリークを発生させることなく発振信号Ｓを断続的に出力することが可能となる。【００６７】  図２は、図１に示した第１実施形態のレーダ用発振器２０の具体的な回路構成を示す図である。【００６８】  図２に示すレーダ用発振器２０の発振部２１は、コイルＬ１とコンデンサＣ１との並列接続で形成される共振器２３ａと、この共振器２３ａを負荷とするトランジスタＱ１と、ベース抵抗Ｒ１からなる増幅器２２ａと、コイルＬ２とコンデンサＣ２との並列接続で形成される共振器２３ｂと、この共振器２３ｂを負荷とするトランジスタＱ２と、ベース抵抗Ｒ２からなる増幅器２２ｂとを有している。【００６９】  また、トランジスタＱ１のコレクタ（増幅器２２ａの出力）とトランジスタＱ２のベース（増幅器２２ｂの入力）との間は、後述するように、帰還回路２４の一部を構成するコンデンサＣ３を介して接続されている。【００７０】  また、トランジスタＱ２のコレクタ（増幅器２２ｂの出力）とトランジスタＱ１のベース（増幅器２２ａの入力）との間は、後述するように、帰還回路２４の一部を構成するコンデンサＣ４を介して接続されている。【００７１】  そして、両トランジスタＱ１、Ｑ２のエミッタは、定電流源Ｉ１を介して負電源Ｖｅに接続されている。【００７２】  また、ベース抵抗Ｒ１、Ｒ２は、バイアス電源Ｖｂに接続されている。【００７３】  この発振部２１は、トランジスタＱ１、Ｑ２が交互にオンオフして発振動作を継続するもので、一方の増幅器２２ａを増幅器の主体とすれば、他方の増幅器２２ｂは、増幅器２２ａの出力を増幅器２２ｂで反転増幅して増幅器２２ａの入力側に正帰還するための帰還回路２４を構成していることになる。【００７４】  また、増幅器２２ａを前段、増幅器２２ｂを後段とする１つの同相増幅器と見なせば、後段の増幅器２２ｂから前段の増幅器２２ａに信号を帰還しているコンデンサＣ４が帰還回路２４を構成していることになる。【００７５】  なお、図２の構成による発振部２１では、位相が互いに反転した２相の発振信号Ｓ１、Ｓ２を出力させることができる。【００７６】  一方、スイッチ３０は、トランジスタＱ３からなる。【００７７】  ここで、トランジスタＱ３は、そのコレクタがアースラインに接続され、そのエミッタが増幅器２２ａのトランジスタＱ１（他方のトランジスタＱ２でもよい）のベースに接続されている。【００７８】  これにより、トランジスタＱ３は、ベースで受けたパルス信号Ｐがローレベルのとき、そのコレクタ・エミッタ間を開状態とし、発振部２１の正帰還ループを維持して、発振部２１を発振状態にする。【００７９】  また、トランジスタＱ３は、ベースで受けたパルス信号Ｐがハイレベルのとき、そのコレクタ・エミッタ間を閉状態として、発振部２１に正帰還がかからないようにし、発振部２１を発振停止状態にする。【００８０】  このような図２の発振部２１は、図１との構成と同様に、少なくとも、所定の周波数での発振に寄与する増幅器（手段）２２を有し、それに加えて、所定の周波数での発振を促進し且つ安定化する共振器２３及び帰還回路２４から構成されていると見なすことができる。【００８１】  そして、図１との構成と同様に、発振部２１に接続されるスイッチ（手段）３０がレーダ波の送信タイミングを示すパルス信号Ｐを受けて、該パルス信号Ｐのレベルに応じて前記発振信号の出力を断続させるために、前記発振部２１の動作状態を、前記パルス信号Ｐの第１及び第２のレベルで発振状態及び発振停止状態との間で交互に切り替えることにより、図２のレーダ用発振器２０は、レーダ波の送信タイミングを示すパルス信号に応じてリークを発生させることなく発振信号Ｓを断続的に出力することが可能となる。【００８２】  図３Ａ，Ｂは、図１及び図２に示したレーダ用発振器２０の動作を説明するために示すタイミング図である。【００８３】  すなわち、図３Ａに示すようにパルス信号Ｐがローレベルのときには、図３Ｂに示すようにレーダ用発振器２０の発振部２１から約３００ｍＶ（ｐ−ｐ）の発振信号Ｓが出力される。【００８４】  また、図３Ａに示すようにパルス信号Ｐがハイレベルのときには、図３Ｂに示すように発振部２１の発振動作が停止しているので、レーダ用発振器２０からリーク成分は発生しない。【００８５】  図１３は、図１に示した本発明の第１の実施形態によるレーダ用発振器２０の変形例の概略的な構成を示すブロック図である。【００８６】  この図１３に示すレーダ用発振器２０においては、前述したように、共振器２３が増幅器２２の入力部に接続されていると共に、スイッチ３０が増幅器２２の出力部とアースライン（高周波的なアースラインであり、正負電源ラインのいずれでもよい）との間を開閉できるように接続されている以外の構成は、図１に示したレーダ用発振器２０の構成と同様である。【００８７】  図１４及び図１５は、それぞれ、図１に示した本発明の第１の実施形態によるレーダ用発振器２０の変形例の概略的な構成を示すブロック図である。【００８８】  これらの図１４及び図１５に示すレーダ用発振器２０においては、発振部２１の増幅器（手段）２２として複数の増幅器２２ａ、２２ｂが従続接続される場合であって、複数の増幅器２２ａ、２２ｂの最終段の増幅器２２ｂの出力側から最前段の増幅器２２ａの入力側に正帰還をかける帰還回路２４と、複数の増幅器２２ａ、２２ｂの従続接続部に接続された所定の周波数で共振する共振器２３ａと、複数の増幅器２２ａ、２２ｂの最終段の増幅器２２ｂの出力側に接続された所定の周波数で共振する共振器２３ｂとをさらに有し、複数の増幅器の最終段の増幅器２２ｂの出力側から前記共振器２３ａ、２３ｂによって決まる所定の周波数を有する発振信号を出力するように構成されている以外の構成は、図１に示したレーダ用発振器２０の構成と同様である。【００８９】  なお、図１５に示すレーダ用発振器２０には、複数の増幅器２２ａ、２２ｂの従続接続部に接続された所定の周波数で共振する一つの共振器２３のみが備えられている。【００９０】  図２８は、図１に示した本発明の第１の実施形態によるレーダ用発振器２０の変形例の具体的な回路構成を示す図である。【００９１】  図２８に示すレーダ用発振器２０においては、ダイオードＤ１からなるスイッチ３０Ａが発振部２１を構成する増幅器手段としての電界効果トランジスタ（ＦＥＴ）Ｑ１０からなる増幅器２２の入力部とアースライン（高周波的なアースラインであり、正負電源ラインのいずれで���よい）との間を開閉できるように接続されていると共に、共振器２３がインダクタＬ１３とコンデンサＣ１１、Ｃ１２とのいわゆるπ型の共振器として構成されており、この共振器２３の出力側から増幅器２２の入力部に正帰還をかける帰還回路２４が接続されている以外は、図１に示すレーダ用発振器２０の構成と同様である。【００９２】  このような図２８に示す発振部２１は、増幅器（手段）２２と、該増幅器（手段）２２と共に所定の周波数での発振に寄与するために、所定の周波数で共振する共振器２３と該共振器２３の出力側から増幅器２２の入力部に正帰還をかける帰還回路２４の両方を有して構成されていると見なすことができる。【００９３】  なお、図２８においては、ダイオードＤ１からなるスイッチ３０への電源（Ｖｄ）及びＦＥＴからなる増幅器２２への電源（Ｖｇ）ラインに対してインダクタＬ１１及びインダクタＬ１２が接続されていると共に、共振器２３の出力側に所定の周波数を有する発振信号を出力するための結合コンデンサＣ１３が接続されている。【００９４】  また、図２８に示すレーダ用発振器２０において、上記したスイッチ３０Ａに代えてあるいは選択的に組み合わせ可能な複数のスイッチとして、図示破線で示すようなＦＥＴＱ１０からなる増幅器２２の出力側を高周波的なアースラインに対して開閉するためのスイッチ３０Ｂと、ＦＥＴＱ１０からなる増幅器２２への電源（Ｖｄ）を開閉するためのスイッチ３０Ｃとがそれぞれ単独または所定の組み合わせによって備えられていてもよい。【００９５】  さらには、図２８に示すレーダ用発振器２０において、上記したスイッチ３０Ａに代えてあるいは選択的に組み合わせ可能な複数のスイッチとして、図示破線で示すような共振器２３の共振周波数を発振可能範囲外にするための素子を、前記レーダ波の送信タイミングを示すパルス信号に基づいて前記共振器２３に対して接離するためのスイッチ３０Ｄが単独または上記各スイッチ３０Ａ，３０Ｂ，３０Ｃとの所定の組み合わせによって備えられていてもよい。【００９６】  なお、図２８に示すレーダ用発振器２０において、共振器２３の共振周波数を発振可能範囲外にするための素子を、前記レーダ波の送信タイミングを示すパルス信号に基づいて前記共振器２３に対して接離するためのスイッチ３０Ｄについては、後述する図６に示す第３実施形態のレーダ用発振器２０において詳細に説明される。【００９７】  図２９は、図１に示した本発明の第１の実施形態によるレーダ用発振器２０の変形例の具体的な回路構成を示す図である。【００９８】  図２９に示すレーダ用発振器２０においては、発振部２１の増幅器（手段）２２が電界効果トランジスタ（ＦＥＴ）Ｑ１２と該ＦＥＴＱ１２に接続され該ＦＥＴＱ１２が所定の周波数での発振に寄与する負性抵抗を発生するような長さの分布定数線路ＮＲとで構成されるとき、前記ＦＥＴＱ１２の入力部に接続された長さが前記所望の周波数のλ／４になるような分布定数線路とで構成された前記所定の周波数で共振する共振器２３を有し、前記ＦＥＴＱ１２の入力部を高周波的なアースラインとしての電源（Ｖｇ）ラインに対して開閉するためのスイッチ３０Ａとして別の電界効果トランジスタ（ＦＥＴ）Ｑ１１が���いられていると共に、発振部２１の発振状態及び発振停止状態において増幅器（手段）２２としてのＦＥＴＱ１２の出力側から共振器２３によって決まる所定の周波数を有する発振信号を出力及び停止するように構成されている以外は、図１に示したレーダ用発振器２０の構成と同様である。【００９９】  このような図２９に示す発振部２１は、ＦＥＴＱ１２と該ＦＥＴＱ１２が所定の周波数での発振に寄与する負性抵抗を発生するような長さの分布定数線路ＮＲとで構成される増幅器（手段）２２と、該増幅器（手段）２２と共に所定の周波数での発振に寄与するために、所定の周波数で共振する共振器２３のみを有して構成されていると見なすことができる。【０１００】  なお、図２９においては、ＦＥＴＱ１１からなるスイッチ３０Ａへの電源（Ｖｇ）及びＦＥＴＱ１２からなる増幅器２２への電源（Ｖｄ）ラインに対してインダクタＬ２１及びインダクタＬ２２が接続されていると共に、共振器２３とＦＥＴからなる増幅器２２の入力側との間に結合コンデンサＣ２２が接続されており、ＦＥＴからなる増幅器２２の出力側に所定の周波数を有する発振信号を出力するための結合コンデンサＣ２２が接続されている。【０１０１】  また、図２９に示すレーダ用発振器２０において、上記したスイッチ３０Ａに代えてあるいは選択的に組み合わせ可能な複数のスイッチとして、図示破線で示すようなＦＥＴＱ１２からなる増幅器２２の出力側を高周波的なアースラインに対して開閉するためのスイッチ３０Ｂと、ＦＥＴＱ１２からなる増幅器２２への電源（Ｖｄ）を開閉するためのスイッチ３０Ｃとがそれぞれ単独または所定の組み合わせによって備えられていてもよい。【０１０２】  さらには、図２９に示すレーダ用発振器２０において、上記したスイッチ３０Ａに代えてあるいは選択的に組み合わせ可能な複数のスイッチとして、図示破線で示すような共振器２３の共振周波数を発振可能範囲外にするための素子を、前記レーダ波の送信タイミングを示すパルス信号に基づいて前記共振器２３に対して接離するためのスイッチ３０Ｄが単独または上記各スイッチ３０Ａ，３０Ｂ，３０Ｃとの所定の組み合わせによって備えられていてもよい。【０１０３】  なお、図２９に示すレーダ用発振器２０において、共振器２３の共振周波数を発振可能範囲外にするための素子を、前記レーダ波の送信タイミングを示すパルス信号に基づいて前記共振器２３に対して接離するためのスイッチ３０Ｄについては、後述する図６に示す第３実施形態のレーダ用発振器２０において詳細に説明される。【０１０４】  （第２実施形態）
図４は本発明の第２実施形態に係るレーダ用発振器２０の概略的な構成を示すブロック図である。【０１０５】  図５は、図４に示した第２実施形態のレーダ用発振器２０の具体的な回路構成を例示する図である。【０１０６】  図４及び図５において、前述した図１及び図２に示す第１実施形態のレーダ用発振器２０と同一部分には同一符号を付して重複する部分の詳細説明を省略するものとする。【０１０７】  上記第１実施形態のレーダ用発振器２０では、スイッチ３０を、増幅器２２の入力側とアースラインの間に接続することにより、スイッチ３０を閉じた状態では発振部２１に正帰還がかからないようにしている。【０１０８】  これに対し、図４及び図５に示す第２実施形態のレーダ用発振器２０では、スイッチ３０を増幅器２２の出力側（後述する変形例で示すように、増幅器２２の入力側でもよい。）とアースラインとの間、すなわち、共振器２３と並列に接続することにより、スイッチ３０を閉じた状態では発振部２１に正帰還がかからないようにしている。【０１０９】  この場合、パルス信号Ｐによりスイッチ３０を閉じて増幅器２２の出力側をアースラインに接続する（共振器２３を短絡させる）ことにより、前記と同様に増幅器２２の入力側への正帰還がかからなくなり、発振部２１は発振停止状態となる。【０１１０】  なお、図５に示した具体的な回路構成では、一方の共振器２３ａにスイッチ３０を並列接続しているが、破線で示しているように他方の共振器２３ｂ側にスイッチ３０を並列接続してもよい。【０１１１】  また、２つの共振器２３ａ、２２ｂにそれぞれ並列接続された２つのスイッチ３０を共通のパルス信号Ｐによってオンオフさせる構成としてもよい。【０１１２】  図１８は、図４に示した本発明の第２の実施形態によるレーダ用発振器２０の変形例の概略的な構成を示すブロック図である。【０１１３】  図１８に示すレーダ用発振器２０では、スイッチ３０を前述したように増幅器２２の出力側でなく、増幅器２２の入力側とアースラインとの間、すなわち、増幅器２２の入力側に接続されている共振器２３と並列に接続することにより、スイッチ３０を閉じた状態では発振部２１に正帰還がかからないように構成されている以外の構成は、図４に示したレーダ用発振器２０の構成と基本的には同様である。【０１１４】  図３２は、図４に示した本発明の第２の実施形態によるレーダ用発振器２０の変形例の具体的な回路構成を示す図である。【０１１５】  図３２に示すレーダ用発振器２０においては、図４に示したレーダ用発振器２０におけるバイアス電源Ｖｂを省略可能とした簡易な構成とした以外は、図４に示したレーダ用発振器２０の構成と基本的には同様である。【０１１６】  以上により、本発明の第２の実施形態によるレーダ用発振器によっても、レーダ波の送信タイミングを示すパルス信号に応じてリークを発生させることなく、発振信号を断続的に出力することが可能となる。【０１１７】  （第３実施形態）
図６は、本発明の第３実施形態に係るレーダ用発振器２０の要部の具体的な回路構成を示す図である。【０１１８】  上記第１及び第２実施形態に係るレーダ用発振器２０では、増幅器２２の入力部または出力部の少なくとも一方と発振部２１の高周波アースラインとの間を前記レーダ波の送信タイミングを示すパルス信号に基づいてスイッチによって開閉することにより、発振部２１の動作状態を、発振状態と発振停止状態との間で交互に切り替えるようにしている。【０１１９】  すなわち、上記第１及び第２実施形態に係るレーダ用発振器２０では、発振停止状態では、実質的に、スイッチにより帰還回路２４を含む正帰還ループをアースラインに接続して正帰還がかからないようにしている。【０１２０】  ところで、上記のような２つの共振器２３ａ、２３ｂを有する発振部２１の場合、両共振器２３ａ、２３ｂの共振周波数が等しいことが発振条件の一つとなる。【０１２１】  そこで、この第３実施形態のレーダ用発振器２０では、一方の共振器の共振周波数を所望の発振周波数から大きくかけ離れた周波数に切り替えることによって、正帰還がかからないようにしている。【０１２２】  すなわち、この第３実施形態のレーダ用発振器２０では、図６に示すように、スイッチ３０によってコイルＬｘを一方の共振器２３ａに接続して当該共振器２３ａの共振周波数を他方の共振器２３ｂ（図示省略）の共振周波数よりも大幅に上げてしまうことにより、正帰還がかからないようにして、発振動作を停止させるようにしている。【０１２３】  なお、この共振器の共振周波数を発振可能範囲外に変化させて正帰還がかからないようにする技術は、上記のように２つの共振器２３ａ、２３ｂを有する発振器だけでなく、後述する変形例に示すように、共振器が一つの発振器の場合についても適用できる。【０１２４】  そして、上記したような第１乃至第３実施形態によるレーダ用発振器２０では、それぞれ増幅器（手段）２２の入力側に正帰還が十分かからないようにすることによって発振停止状態としているものの、増幅器（手段）２２自体は定常的に能動状態にあるので、スイッチ３０の切り替わりに対して高速な応答性をもちながら、リークを発生させることなく、パルス信号Ｐのレベルに応じた発振信号の断続的な出力が可能となる。【０１２５】  図１６及び図１７は、図６に示した本発明の第３の実施形態によるレーダ用発振器２０の変形例の概略的な構成を示すブロック図である。【０１２６】  これらの図１６及び図１７に示すレーダ用発振器２０においては、前述したように、共振器の共振周波数を発振可能範囲外に変化させて正帰還がかからないようにする技術を、増幅器２２の入力側または出力側に接続される一つの共振器２２についても適用できるように構成されている以外の構成は、図６に示すレーダ用発振器２０の構成と基本的には同様である。【０１２７】  図３１は、図６に示した本発明の第３の実施形態によるレーダ用発振器２０の変形例の具体的な回路構成を示す図である。【０１２８】  図３１に示すレーダ用発振器２０においては、図６に示したレーダ用発振器２０におけるバイアス電源Ｖｂを省略可能とした簡易な構成とした以外は、図６に示したレーダ用発振器２０の構成と基��的には同様である。【０１２９】  以上により、本発明の第３の実施形態によるレーダ用発振器によっても、レーダ波の送信タイミングを示すパルス信号に応じてリークを発生させることなく、発振信号を断続的に出力することが可能となる。【０１３０】  （第４実施形態）
図７は、本発明の第４実施形態に係るレーダ用発振器２０の概略的な構成を示すブロック図である。【０１３１】  図８は、図７に示した第４実施形態のレーダ用発振器２０の具体的な回路構成を例示する図である。【０１３２】  図７及び図８において、前述した図１及び図２に示した第１実施形態のレーダ用発振器２０と同一部分には同一符号を付して重複する部分の詳細説明を省略するものとする。【０１３３】  すなわち、図７及び図８に示す第４実施形態のレーダ用発振器２０では、発振部２１の増幅器２２の電源供給ラインにスイッチ３０を接続し、増幅器２２に対する電源２５の供給（バイアス電源も含む）を規制して、発振動作を停止させるようにしている。【０１３４】  具体的には、図８に示すように、トランジスタＱ３からなるスイッチ３０を図２の定電流源１１の代わりに用い、パルス信号ＰによってトランジスタＱ３をオンオフさせて負電源Ｖｅを規制することにより、発振部２１を発振状態と発振停止状態の間で交互に切り替え、発振信号を断続的に出力させる。【０１３５】  なお、図示しないがバイアス電源Ｖｂの供給をスイッチ３０によって規制することにより、発振信号を断続的に出力させるようにしてもよい。【０１３６】  図３０は、図７に示した本発明の第４の実施形態によるレーダ用発振器２０の変形例の具体的な回路構成を示す図である。【０１３７】  図３０に示すレーダ用発振器２０においては、図８に示すレーダ用発振器２０におけるバイアス電源Ｖｂを省略可能とした簡易な構成とした以外は、図８に示したレーダ用発振器２０の構成と基本的には同様である。【０１３８】  以上により、本発明の第４の実施形態によるレーダ用発振器２０によっても、リークを発生させることなく、レーダ波の送信タイミングを示すパルス信号に応じて発振信号を断続的に出力することが可能となる。【０１３９】  （第５実施形態）
図９は、本発明の第５実施形態に係るレーダ用発振器２０の概略的な構成を示すブロック図である。【０１４０】  図９において、前述した図１に示した第１実施形態のレーダ用発振器２０と同一部分には同一符号を付して重複する部分の詳細説明を省略するものとする。【０１４１】  上記した各実施形態は、単独のスイッチ３０によって、発振部２１を発振状態と発振停止状態の間で交互に切り替えるようにしている。【０１４２】  これに対し、図９に示す第５実施形態のレーダ用発振器２０では、上記した各実施形態のスイッチ３０を選択的に組合せて、複数のスイッチ３０によって、発振部２１を発振状態と発振停止状態の間で交互に切り替えるようにしている。【０１４３】  すなわち、図９に示す第５実施形態のレーダ用発振器２０では、増幅器２２の入力部と出力部（共振器２３の両端）をそれぞれ第１及び第２のスイッチ３０Ａ、３０Ｂによってアースラインに接続することによって、発振部２１に正帰還がかからないようにして、発振部２１を発振状態と発振停止状態の間で交互に切り替え、発振信号を断続的に出力させるようにしている。【０１４４】  図１０は、図９に示した本発明の第５実施形態に係るレーダ用発振器２０の変形例の概略的な構成を示すブロック図である。【０１４５】  図１０に示すレーダ用発振器２０においては、増幅器２２の入力部（後述する他の変形例で示すように、増幅器２２の出力部でもよい）を第１のスイッチ３０Ａによりアースラインに接続すると共に、増幅器２２に対する電源２５の供給を第２のスイッチ３０Ｂによって停止させるようにしている以外の構成は、図９に示したレーダ用発振器２０の構成と基本的には同様である。【０１４６】  そして、本発明に用いる複数のスイッチ３０の組合せは、後述する変形例に示すように、上記以外の他の組合せを併用するようにしてもよい。【０１４７】  図１９は、図９に示した本発明の第５の実施形態によるレーダ用発振器２０の変形例の概略的な構成を示すブロック図である。【０１４８】  図１９に示すレーダ用発振器２０においては、増幅器２２の出力部を第１のスイッチ３０Ａによりアースラインに接続すると共に、増幅器２２に対する電源２５の供給を第２のスイッチ３０Ｂによって停止させるようにしている以外の構成は、図９及び図１０に示したレーダ用発振器２０の構成と基本的には同様である。【０１４９】  図２０は、図９に示した本発明の第５の実施形態によるレーダ用発振器２０の変形例の概略的な構成を示すブロック図である。【０１５０】  図２０に示すレーダ用発振器２０においては、図１７に示したように、発振部２１における共振器２３の共振周波数を発振可能範囲外にするための素子を共振器２３に対して第１のスイッチ３０Ａによって接離すると共に、増幅器２２に対する電源２５の供給を第２のスイッチ３０Ｂによって停止させるようにしている以外の構成は、図９及び図１０に示したレーダ用発振器２０の構成と基本的には同様である。【０１５１】  図２１は、図９に示した本発明の第５の実施形態によるレーダ用発振器２０の変形例の概略的な構成を示すブロック図である。【０１５２】  図２１に示すレーダ用発振器２０においては、増幅器２２の入力部を第１のスイッチ���０Ａによりアースラインに接続すると共に、図１７に示したように、発振部２１における共振器２３の共振周波数を発振可能範囲外にするための素子を共振器２３に対して第２のスイッチ３０Ｂによって接離するようにしている以外の構成は、図９に示したレーダ用発振器２０の構成と基本的には同様である。【０１５３】  図２２は、図９に示した本発明の第５の実施形態によるレーダ用発振器２０の変形例の概略的な構成を示すブロック図である。【０１５４】  図２２に示すレーダ用発振器２０においては、図１４に示したように、複数の増幅器２２ａ、２２ｂと、複数の共振器２３ａ、２３ｂとを備える場合に、複数の増幅器２２ａ、２２ｂの従続接続部（増幅器２２ａの入力部と増幅器２２ｂの出力部との接続部にして共振器２３ａの両端）を第１のスイッチ３０Ａによってアースラインに接続すると共に、図１７に示したように、増幅器２２ｂの出力側に接続された共振器２３ｂの共振周波数を発振可能範囲外にするための素子を該共振器２３ｂに対して第２のスイッチ３０Ｂによって接離するようにしている以外の構成は、図９に示したレーダ用発振器２０の構成と基本的には同様である。【０１５５】  図２３は、図９に示した本発明の第５の実施形態によるレーダ用発振器２０の変形例の概略的な構成を示すブロック図である。【０１５６】  図２３に示すレーダ用発振器２０においては、増幅器２２の入力部を第１のスイッチ３０Ａによりアースラインに接続すると共に、増幅器２２に対する電源２５の供給を第２のスイッチ３０Ｂによって停止させるようにしていることに加えて、図１７に示したように、発振部２１における共振器２３の共振周波数を発振可能範囲外にするための素子を共振器２３に対して第３のスイッチ３０Ｃによって接離するようにしている以外の構成は、図９に示したレーダ用発振器２０の構成と基本的には同様である。【０１５７】  図２４は、図９に示した本発明の第５の実施形態によるレーダ用発振器２０の変形例の概略的な構成を示すブロック図である。【０１５８】  図２４に示すレーダ用発振器２０においては、図１４に示したように、複数の増幅器２２ａ、２２ｂと、複数の共振器２３ａ、２３ｂとを備える場合に、複数の増幅器２２ａ、２２ｂの従続接続部（増幅器２２ａの入力部と増幅器２２ｂの出力部との接続部にして共振器２３ａの両端）を第１のスイッチ３０Ａによってアースラインに接続すると共に、増幅器２２ａ、２２ｂに対する電源２５の供給を第２のスイッチ３０Ｂによって停止させるようにしていることに加えて、図１７に示したように、増幅器２２ｂの出力側に接続された共振器２３ｂの共振周波数を発振可能範囲外にするための素子を該共振器２３ｂに対して第３のスイッチ３０Ｃによって接離するようにしている以外の構成は、図９に示したレーダ用発振器２０の構成と基本的には同様である。【０１５９】  図２５は、図９に示した本発明の第５の実施形態によるレーダ用発振器２０の変形例の概略的な構成を示すブロック図である。【０１６０】  図２５に示すレーダ用発振器２０においては、図１４に示したように、複数の増幅器２２ａ、２２ｂと、複数の共振器２３ａ、２３ｂとを備える場合に、増幅器２２ａの入力部を第１のスイッチ３０Ａによりアースラインに接続すると共に、複数の増幅器２２ａ、２２ｂの従続接続部（増幅器２２ａの入力部と増幅器２２ｂの出力部との接続部にして共振器２３ａの両端）を第２のスイッチ３０Ｂによってアースラインに接続することに加えて、図１７に示したように、増幅器２２ｂの出力側に接続された共振器２３ｂの共振周波数を発振可能範囲外にするための素子を該共振器２３ｂに対して第３のスイッチ３０Ｃによって接離するようにしている以外の構成は、図９に示したレーダ用発振器２０の構成と基本的には同様である。【０１６１】  図２６は、図９に示した本発明の第５の実施形態によるレーダ用発振器２０の変形例の概略的な構成を示すブロック図である。【０１６２】  図２６に示すレーダ用発振器２０においては、増幅器２２の入力部と出力部（共振器２３の両端）をそれぞれ第１及び第３のスイッチ３０Ａ、３０Ｃによってアースラインに接続すると共に、増幅器２２に対する電源２５の供給を第２のスイッチ３０Ｂによって停止させるようにしている以外の構成は、図９に示したレーダ用発振器２０の構成と基本的には同様である。【０１６３】  図２７は、図９に示した本発明の第５の実施形態によるレーダ用発振器２０の変形例の概略的な構成を示すブロック図である。【０１６４】  図２７に示すレーダ用発振器２０においては、図１４に示したように、複数の増幅器２２ａ、２２ｂと、複数の共振器２３ａ、２３ｂとを備える場合に、増幅器２２ａの入力部を第１のスイッチ３０Ａによりアースラインに接続すると共に、複数の増幅器２２ａ、２２ｂの従続接続部（増幅器２２ａの入力部と増幅器２２ｂの出力部との接続部にして共振器２３ａの両端）を第２のスイッチ３０Ｂによってアースラインに接続することに加えて、増幅器２２ａ、２２ｂに対する電源２５の供給を第３のスイッチ３０Ｃによって停止させるようにしていると共に、図１７に示したように、増幅器２２ｂの出力側に接続された共振器２３ｂの共振周波数を発振可能範囲外にするための素子を該共振器２３ｂに対して第４のスイッチ３０Ｄによって接離するようにしている以外の構成は、図９に示したレーダ用発振器２０の構成と基本的には同様である。【０１６５】  図３３は、図９に示した本発明の第５の実施形態によるレーダ用発振器２０の変形例の概略的な構成を示すブロック図である。【０１６６】  図３３に示すレーダ用発振器２０においては、図６に示したように、複数の増幅器２２ａ、２２ｂと、複数の共振器２３ａ、２３ｂとを備える場合に、増幅器２２ａの出力側に接続された共振器２３ａの共振周波数を発振可能範囲外にするための素子Ｌｘを該共振器２３ａに対してトランジスタＱ２１からなる第１のスイッチ３０Ａによって接離するようにしていると共に、増幅器２２ａの入力部をトランジスタＱ２２からなる第２のスイッチ３０Ｂによりアースラインに接続することに加えて、増幅器２２ａ、２２ｂに対する負電源Ｖｅの供給をトランジスタＱ２３からなる第３のスイッチ３０Ｃによって停止させるようにしていると共に、増幅器２２ｂの出力側に接続された共振器２３ｂの両端をトランジスタＱ２４からなる第４のスイッチ３０Ｄによってアースラインに接続するようにしている以外の構成は、図６及び図９に示したレーダ用発振器２０の構成と基本的には同様である。【０１６７】  なお、図３３に示すレーダ用発振器２０においては、第１のスイッチ３０Ａ、第２のスイッチ３０Ｂ及び第３のスイッチ３０Ｃとが、レーダ波の送信タイミングを示す第１のパルス信号Ｐ１により、前記発振信号の出力を断続させるために、発振部２１の動作状態を発振状態及び前記発振停止状態との間で交互に切り替えるようになされている。【０１６８】  また、第４のスイッチ３０Ｄが、レーダ波の送信タイミングを示す第２のパルス信号Ｐ２により、前記発振信号の出力を断続させるために、発振部２１の動作状態を発振状態及び前記発振停止状態との間で交互に切り替えるようになされている。【０１６９】  図３４は、図９に示した本発明の第５の実施形態によるレーダ用発振器２０の変形例の概略的な構成を示すブロック図である。【０１７０】  図３４に示すレーダ用発振器２０においては、図６に示したように、複数の増幅器２２ａ、２２ｂと、複数の共振器２３ａ、２３ｂとを備える場合に、増幅器２２ａの出力側に接続された共振器２３ａの共振周波数を発振可能範囲外にするための素子Ｌｘを該共振器２３ａに対してトランジスタＱ２１からなる第１のスイッチ３０Ａによって接離するようにしていると共に、増幅器２２ａ、２２ｂに対する負電源Ｖｅの供給をトランジスタＱ２２からなる第２のスイッチ３０Ｂによって停止させるようにしている以外の構成は、図６及び図９に示したレーダ用発振器２０の構成と基本的には同様である。【０１７１】  以上により、本発明の第５の実施形態によるレーダ用発振器２０によっても、リークを発生させることなく、レーダ波の送信タイミングを示すパルス信号に応じて発振信号を断続的に出力することが可能となる。【０１７２】  そして、本発明の第５実施形態のレーダ用発振器２０では、特には、上記した各実施形態のスイッチ３０を選択的に組合せて、複数のスイッチ３０によって、発振部２１を発振状態と発振停止状態の間で交互に切り替えることを実施するようにしているので、単一ののスイッチ３０による場合に比して、リーク発生の防止をより確実化することが可能となる。【０１７３】  （第６実施形態）
図３５は、本発明によるレーダ用発振器の第６の実施形態の概略的な構成を示すブロック図である。【０１７４】  図３５に示すレーダ用発振器１２０においては、発振部が、増幅器（手段）として複数の増幅器１２２ａ，１２２ｂ，１２２ｃが従続接続されると共に、複数の増幅器１２２ａ，１２２ｂ，１２２ｃの最終段の増幅器１２２ｃの出力部から最前段の増幅器１２２ａの入力部に帰還をかける帰還回路１２４を有するリング発振回路１２１として構成され、前記最終段の増幅器１２２ｃの出力部から前記リング発振回路１２１によって決まる前記所定の周波数を有する発振信号Ｓを出力するように構成されている。【０１７５】  このような図３５に示す発振部としてのリング発振回路１２１は、増幅器（手段）としての従続接続された複数の増幅器１２２ａ，１２２ｂ，１２２ｃと、該増幅器（手段）としての従続接続された複数の増幅器１２２ａ，１２２ｂ，１２２ｃと共に所定の周波数での発振に寄与するために、最終段の増幅器１２２ｃの出力部から最前段の増幅器１２２ａの入力部に帰還をかける帰還回路１２４のみを有して構成されていると見なすことができる。【０１７６】  そして、このレーダ用発振器１２０は、最前段の増幅器１２２ａの入力部をパルス信号Ｐの第１及び第２のレベルに応じてスイッチ３０Ａにより高周波的なアースラインに対して開閉することによって、リング発振回路１２１の動作状態を、パルス信号Ｐの第１及び第２のレベルで発振状態及び発振停止状態との間で交互に切り替えるようにしている。【０１７７】  また、図３５に示すレーダ用発振器２０において、上記したスイッチ３０Ａに代えてあるいは選択的に組み合わせ可能な複数のスイッチとして、図示破線で示すような（手段）としての従続接続された複数の増幅器１２２ａ，１２２ｂ，１２２ｃへの電源（Ｖｂ）を開閉するためのスイッチ３０Ｂと、リング発振回路１２２を発振可能範囲外にするための素子をリング発振回路１２２に対して接離するためのスイッチ３０Ｃとが単独または上記スイッチ３０Ａとの所定の組み合わせによって備えられていてもよい。【０１７８】  図３６は、図３５に示す本発明の第６の実施形態によるレーダ用発振器の具体的な回路構成を示す図である。【０１７９】  図３６に示すレーダ用発振器１２０においては、複数の増幅器１２２ａ，１２２ｂ，１２２ｃ及びスイッチ３０ＡがそれぞれトランジスタＱ３１，Ｑ３２，Ｑ３３及びトランジスタＱ３４で構成されている。【０１８０】  ここで、複数の増幅器１２２ａ，１２２ｂ，１２２ｃとしてのトランジスタＱ３１，Ｑ３２，Ｑ３３は、それぞれのコレクタが抵抗Ｒ３０ａ，３０ｂ，３０ｃを介して電源Ｖｂに接続されていると共に、それぞれのエミッタがアースラインに接続されている。【０１８１】  また、トランジスタＱ３１のコレクタがトランジスタＱ３２のベースに接続されていると共に、トランジスタＱ３２のコレクタがトランジスタＱ３３のベースに接続されている。【０１８２】  また、帰還回路１２４としてトランジスタＱ３３のコレクタがトランジスタＱ３１のベースに接続されていることにより、リング発振回路１２１が構成されている。【０１８３】  そして、トランジスタＱ３３のコレクタから前記���ング発振回路１２１によって決まる前記所定の周波数を有する発振信号Ｓが出力される。【０１８４】  このようなリング発振回路１２１の帰還回路２４をパルス信号Ｐの第１及び第２のレベルに応じてスイッチ３０Ａにより高周波的なアースラインに対して開閉することによって、リング発振回路１２１の動作状態を、パルス信号Ｐの第１及び第２のレベルで発振状態及び発振停止状態との間で交互に切り替えるようにしている。【０１８５】  図３７は、図３５に示す本発明の第６の実施形態によるレーダ用発振器の変形例の概略的な構成を示すブロック図である。【０１８６】  図３７に示すレーダ用発振器１２０においては、図３５に示すレーダ用発振器におけるスイッチ３０Ａに代えて、複数の増幅器１２２ａ，１２２ｂ，１２２ｃへの高周波的なアースラインを共通に開閉するスイッチ３０Ａを用いるようにした以外の構成は、図３５に示すレーダ用発振器１２０の構成と基本的には同様である。【０１８７】  図３８は、図３７に示す本発明の第６の実施形態によるレーダ用発振器の変形例の具体的な回路構成を示す図である。【０１８８】  図３８に示すレーダ用発振器１２０においては、複数の増幅器１２２ａ，１２２ｂ，１２２ｃがそれぞれペアトランジスタＱ４１とＱ４２，Ｑ４３とＱ４４，Ｑ４５とＱ４６で構成されている。【０１８９】  また、スイッチ３０Ａが、上記ペアトランジスタＱ４１とＱ４２，Ｑ４３とＱ４４，Ｑ４５とＱ４６の各共通エミッタとアースライン間にそれぞれのコレクタとエミッタとが対応して接続されているトランジスタＱ４７，Ｑ４８，Ｑ４９で構成されている。【０１９０】  ここで、複数の増幅器１２２ａ，１２２ｂ，１２２ｃとしてのペアトランジスタＱ４１とＱ４２，Ｑ４３とＱ４４，Ｑ４５とＱ４６は、それぞれのコレクタが抵抗Ｒ４１，Ｒ４２，Ｒ４３，Ｒ４４，Ｒ４５，Ｒ４６を介して電源Ｖｂに接続されていると共に、それぞれのエミッタが各共通エミッタとして接続されている。【０１９１】  また、トランジスタＱ４１とＱ４２の各コレクタがトランジスタＱ４３とＱ４４の各ベースに対応して接続されていると共に、トランジスタＱ４３とＱ４４の各コレクタがトランジスタＱ４５とＱ４６の各ベースに接続されている。【０１９２】  また、帰還回路１２４としてトランジスタＱ４５とＱ４６の各コレクタがトランジスタＱ４１とＱ４２の各ベースに接続されていることにより、リング発振回路１２１が構成されている。【０１９３】  そして、トランジスタＱ４５とＱ４６の各コレクタから前記リング発振回路１２１によって決まる前記所定の周波数を有する発振信号Ｓ１，Ｓ２が出力される。【０１９４】  また、スイッチ３０ＡとしてのトランジスタＱ４７，Ｑ４８，Ｑ４９の各ベースが共通にパルス信号Ｐの入力端に接続されている。【０１９５】  このようなリング発振回路１２１の帰還回路１２４をパルス信号Ｐの第１及び第２のレベルに応じてスイッチ３０ＡとしてのトランジスタＱ４７，Ｑ４８，Ｑ４９により高周波的なアースラインに対して開閉することによって、リング発振回路１２１の動作状態を、パルス信号Ｐの第１及び第２のレベルで発振状態及び発振停止状態との間で交互に切り替えるようにしている。【０１９６】  以上��より、本発明の第６の実施形態によるレーダ用発振器１２０によっても、リークを発生させることなく、レーダ波の送信タイミングを示すパルス信号に応じて発振信号を断続的に出力することが可能となる。【０１９７】  なお、本発明は上述した各実施形態に限定されるものではなく、例えば、上記した各実施形態の発振部２１の具体的な回路構成では、２つのトランジスタを用いた構成であったが、これは本発明を限定するものではなく、１つあるいは３つ以上のトランジスタを用いた構成のものについても本発明を同様に適用することができる。【０１９８】  したがって、以上詳述したように、本発明によれば、パルス信号のレベルに応じて発振信号の出力を断続させるために、発振部の動作状態を、発振状態と発振停止状態の間で交互に切り替えるスイッチを用いることにより、従来技術の問題を解決して、リークを発生させることなく、パルス信号に応じて発振信号の断続出力が可能なレーダ用発振器を提供することが可能となる。
【図１】
0004310339.tif 000002
【図２】
0004310339.tif 000003
0004310339.tif 000004
【図４】
0004310339.tif 000005
【図５】
0004310339.tif 000006
【図６】
0004310339.tif 000007
【図７】
0004310339.tif 000008
【図８】
0004310339.tif 000009
【図９】
0004310339.tif 000010
【図１０】
0004310339.tif 000011
【図１１】
0004310339.tif 000012
0004310339.tif 000013
【図１３】
0004310339.tif 000014
【図１４】
0004310339.tif 000015
【図１５】
0004310339.tif 000016
【図１６】
0004310339.tif 000017
【図１７】
0004310339.tif 000018
【図１８】
0004310339.tif 000019
【図１９】
0004310339.tif 000020
【図２０】
0004310339.tif 000021
【図２１】
0004310339.tif 000022
【図２２】
0004310339.tif 000023
【図２３】
0004310339.tif 000024
【図２４】
0004310339.tif 000025
【図２５】
0004310339.tif 000026
【図２６】
0004310339.tif 000027
【図２７】
0004310339.tif 000028
【図２８】
0004310339.tif 000029
【図２９】
0004310339.tif 000030
【図３０】
0004310339.tif 000031
【図３１】
0004310339.tif 000032
【図３２】
0004310339.tif 000033
【図３３】
0004310339.tif 000034
【図３４】
0004310339.tif 000035
【図３５】
0004310339.tif 000036
【図３６】
0004310339.tif 000037
【図３７】
0004310339.tif 000038
【図３８】
0004310339.tif 000039